(57)【特許請求の範囲】
【請求項１】
扱室を固定枠体と可動枠体とに分割し、固定枠体のフィードチエンと反対側の上端部に可動枠体の回動支点軸を設けて、扱胴を軸支した可動枠体を上下開閉可能とした脱穀装置において、上記固定枠体を形成する前後側板の回動支点軸側に、それぞれ上下方向の縦パイプを設け、該縦パイプからフィードチエン側に延出する横パイプを設けると共に、横パイプの延出端部に、フィードチエンレールを支持するチェンフレームを連結したことを特徴とする脱穀装置における扱室の側板構造。
【請求項２】
扱室を固定枠体と可動枠体とに分割し、固定枠体のフィードチエンと反対側の上端部に可動枠体の回動支点軸を設けて、扱胴を軸支した可動枠体を上下開閉可能とした脱穀装置において、上記固定枠体を形成する前後側板の回動支点軸側に、それぞれ上下方向の縦パイプを設け、該縦パイプからフィードチエン側に延出する横パイプを設けて、該横パイプの延出端部にフィードチエンレールを支持するチェンフレームを連結すると共に、上記横パイプを、前後側板に形成された穀稈供給口および穀稈排出口の形状に沿わせてその下方部位に配設したことを特徴とする脱穀装置における扱室の側板構造。
【発明の詳細な説明】
【０００１】
【発明の属する技術分野】
本発明は、扱室を固定枠体と可動枠体とに分割し、扱胴を軸支した可動枠体を固定枠体に対して開閉可能とした脱穀装置における扱室の側板構造に係るものである。
【０００２】
【従来の技術】
従来、コンバイン等に搭載される脱穀装置には、受網に目詰まりが生じたりした時等に、扱室内を容易に掃除できるようにするため、扱室を固定枠体と可動枠体とに分割し、固定枠体のフィードチエンと反対側の上端部に可動枠体の回動支点軸を設けて、扱胴を軸支した可動枠体を扱胴とともに上下に開閉可能としたものが知られている。
【０００３】
【発明が解決しようとする課題】
このような脱穀装置においては、扱室の前側板に設けた穀稈供給口から後側板に設けた穀稈排出口に亘る扱口が、フィードチエンに沿って開口しているので、上下に開閉する可動枠体は、固定枠体に設けた回動支点軸で片持状に支持された状態となる。このため、脱穀作業中、あるいは可動枠体の開閉時に、扱胴を軸支した可動枠体の重量が固定枠体の回動支点軸側に集中的に作用し、また前側板と後側板のフィードチエン側には、穀稈供給口と穀稈排出口が大きく切欠形成されているので、従来のような側板では、全体強度が不足して変形を生ずることがある。ところが側板全体を強度の十分な肉厚としたのでは、どうしても側板の重量が増加し、ことに大型化した脱穀装置では一層重量増加が問題となる。
【０００４】
本発明は上記の如き問題点を解消すべく創作されたものであって、固定枠体の上端部に扱胴を軸支した可動枠体を上下開閉可能に支持したものであっても、固定枠体を形成する前後側板を、回動支点軸側からフィードチエン側に亘って十分な強度とすることができ、しかも前後側板の重量を可及的に軽量化することができる脱穀装置における扱室の側板構造を提供することを目的としたものである。
【０００５】
【課題を解決するための手段】
上記の課題を解決するため、本発明が講じた技術的手段は、扱室を固定枠体と可動枠体とに分割し、固定枠体のフィードチエンと反対側の上端部に可動枠体の回動支点軸を設けて、扱胴を軸支した可動枠体を上下開閉可能とした脱穀装置において、上記固定枠体を形成する前後側板の回動支点軸側に、それぞれ上下方向の縦パイプを設け、該縦パイプからフィードチエン側に延出する横パイプを設けると共に、横パイプの延出端部に、フィードチエンレールを支持するチェンフレームを連結したことを特徴とし、また、扱室を固定枠体と可動枠体とに分割し、固定枠体のフィードチエンと反対側の上端部に可動枠体の回動支点軸を設けて、扱胴を軸支した可動枠体を上下開閉可能とした脱穀装置において、上記固定枠体を形成する前後側板の回動支点軸側に、それぞれ上下方向の縦パイプを設け、該縦パイプからフィードチエン側に延出する横パイプを設けて、該横パイプの延出端部にフィードチエンレールを支持するチェンフレームを連結すると共に、上記横パイプを、前後側板に形成された穀稈供給口および穀稈排出口の形状に沿わせてその下方部位に配設したことを特徴とするものである。
【０００６】
【発明の実施の形態】
次に本発明の実施の形態を、添付した好適な実施例の図面に基いて詳細に説明する。まず図１〜図３において、１は内部に扱胴２を軸支した扱室、３は扱口に沿って配設されたフィードチェン、４はフィードチェンレールであって、上記フィードチェン３とフィードチェンレール４とで挾持されて扱室１に供給された刈取穀稈は、回転する扱胴２により脱穀処理され、脱穀後の排藁はフィードチェン３の搬送終端から機体後方に向けて排藁搬送体により搬出され、また脱穀された穀粒や小さな藁屑等は、扱室１に張設した受網５を漏下して選別部６の搖動選別体７上に落下する。
【０００７】
そして搖動選別体７の搖動作用と、唐箕８およびシロッコファン９からの選別風による風選作用とで選別されて、精粒は一番樋１０に、枝梗類等は二番樋１１に回収され、藁屑等は排風ファン１２に吸引されて機体後方に排出される。１３はフィードチェンレール４をフィードチェン３に向けて付勢するスプリング、１４はフィードチェン３を巻回するチェンフレームである。
【０００８】
前記扱室１は、固定枠体１５と上下に開閉可能な可動枠体１６とに分割形成されている。上記固定枠体１５の上端部には、フィードチェン３の反対側に前後方向の回動支点軸１７が設けられており、この回動支点軸１７に可動枠体１６を支持する回動アーム１８，１９が回動自在に軸支されている。また、可動枠体１６の前後の側板２０、２１は、それぞれ板体２０ａ，２０ａおよび２１ａ，２１ａを対向させた箱状に形成されており、この箱状の中空部に回動アーム１８，１９を挿入し、継板２２を介して側板２０、２１にボルト固定することにより、回動支点軸１７に支持された回動アーム１８，１９の回動により可動枠体１６が固定枠体１５に対して上下開閉可能となっている。２３は前後の側板２０、２１を互いに連結する連結バー、また２４は回動アーム１８の取付板である。なお継板２２は、回動アーム１８，１９をボルト固定する際に、板体２０ａ，２１ａが変形しないように補強するものである。
【０００９】
上記板体２０ａ，２１ａには、その下端縁から開口部２５，２６が切欠形成されており、扱胴軸２７に取付けた軸受体２８，２９を上記開口部２５，２６から側板２０，２１の中空部に嵌入してボルト固定することにより、扱胴２が可動枠体１６に軸支されている。また可動枠体１６には、前記フィードチェンレール４が装着されている。
【００１０】
３０は固定枠体１５を形成する扱室１の前側板、３１は後側板であって、図４〜図９に示すように、前側板３０には穀稈供給口３２が円弧状に切欠形成され、後側板３１には穀稈排出口３３が切欠形成されていて、固定枠体１５と可動枠体１６との上下対向間に、穀稈供給口３２から穀稈排出口３３に亘る扱口３４が形成されている。
【００１１】
また前側板３０には、フィードチエン３と反対側の上端部に、前記回動アーム１８の取付板２４がボルト固定されており、取付板２４の下端側が動力伝動機構のギヤケース３５にボルト固定されていて、この固定された取付板２４で回動支点軸１７を支持するとともに、回動支点軸１７に軸支した回動アーム１８が取付板２４に摺接して回動する。
そして動力伝動機構の駆動プーリ３６に巻回した伝動ベルト３７を、回動支点軸１７の前端に設けたアイドラプーリ３８を経て扱胴プーリ３９に巻回して、扱胴２を回転駆動するようになっている。４０は伝動ベルト３５を上方に押上げ支持するガイドプーリである。
【００１２】
上記前側板３０は、回動支点軸１７側からチェンフレーム１４側に至る扱室１の側面全域を覆う板体３１ａと、回動支点軸１７側のみを覆う補強板３０ｂで構成され、回動支点軸１７側には上下方向の縦パイプ４１を立設して補強板３０ｂとともにボルト固定することにより、可動枠体１６を支持する回動支点軸１７側が補強されている。
【００１３】
４２は上記縦パイプ４１からフィードチエン３側に向けて延出した横パイプであって、この横パイプ４２の延出端部にフィードチエンレール４を支持するチェンフレーム１４が連結されている。
そして上記横パイプ４２は、円弧状に切欠形成した穀稈供給口３２に沿わせた状態で穀稈供給口３２の上縁よりも下方部位に配設されている。なお、縦パイプ４１および横パイプ４２の取付け部には、図６に示す補強用の取付金具ａを溶接して強固にボルト固定している。
【００１４】
また、扱室１の後側板３１も上記前側板３０と同様に、回動支点軸１７側に縦パイプ４３を立設し、この縦パイプ４３から横パイプ４４を穀稈排出口３３に沿わせて延出して、その延出端部にチェンフレーム１４を連結した構成となっている。
【００１５】
上記のような構成から、固定枠体１５に設けた回動支点軸１７で扱胴１を軸支した可動枠体１６を上下開閉可能に支持するものであっても、固定枠体１５の前側板３０と後側板３１とは、回動支点軸１７側がそれぞれ縦パイプ４１，４３によって縦方向に補強されるので、上下に開閉する可動枠体１６を確実に支持することができる。
【００１６】
そして、縦パイプ４１，４３からフィードチエン３側に向けて延出した横パイプ４２，４４が横方向を補強するので、前側板３０と後側板３１とを、縦横に補強した強固な構造とすることができる。しかも横パイプ４２，４４の延出端部に連結したチェンフレーム１４は、横パイプ４２，４４によって正確に位置決め固定されるので、このチェンフレーム１４によってフィードチエン３およびフィードチエンレール４を適正な位置に強固に支持することができる。
【００１７】
また、穀稈供給口３２および穀稈排出口３３の形状に沿わせてその下方部位に配設した横パイプ４２，４４が、穀稈供給口３２および穀稈排出口３３の補強部材となるので、扱室１の前後側板３０，３１を一層強固なものとすることができる。
このように縦パイプ４１，４３および横パイプ４２，４４を設けるのみで、前側板３０と後側板３１とを強固に補強したので、前側板３０と後側板３１とを可及的に軽量化することができる。
【００１８】
【発明の効果】
これを要するに本発明は、扱室を固定枠体と可動枠体とに分割し、固定枠体のフィードチエンと反対側の上端部に可動枠体の回動支点軸を設けて、扱胴を軸支した可動枠体を上下開閉可能とした脱穀装置において、上記固定枠体を形成する前後側板の回動支点軸側に、それぞれ上下方向の縦パイプを設け、該縦パイプからフィードチエン側に延出する横パイプを設けると共に、横パイプの延出端部に、フィードチエンレールを支持するチェンフレームを連結し、また、上記固定枠体を形成する前後側板の回動支点軸側に、それぞれ上下方向の縦パイプを設け、該縦パイプからフィードチエン側に延出する横パイプを設けて、該横パイプの延出端部にフィードチエンレールを支持するチェンフレームを連結すると共に、上記横パイプを、前後側板に形成された穀稈供給口および穀稈排出口の形状に沿わせてその下方部位に配設したことから、固定枠体に設けた回動支点軸で扱胴を軸支した可動枠体を上下開閉可能に支持するものであっても、固定枠体の前後側板が、それぞれ回動支点軸側に設けた縦パイプと、フィードチエン側に延出する横パイプとで縦横に補強されるので、前後側板を強固な構造にすることができる。
【００１９】
そして、横パイプの延出端部に連結したチェンフレームが、横パイプによって位置決め固定されるので、フィードチエンおよびフィードチエンレールを適正な位置に強固に支持することができる。
しかも、前後側板に形成された穀稈供給口および穀稈排出口の形状に沿わせてその下方部位に配設した横パイプが、穀稈供給口および穀稈排出口の補強部材となるので、扱室側板を一層強固なものとすることができる。
【図面の簡単な説明】
【図１】脱穀装置の縦断側面図である。
【図２】同上背面図である。
【図３】扱胴の平面図である。
【図４】扱室の正面図である。
【図５】前側板の正面図である。
【図６】取付金具の断面図である。
【図７】後側板の背面図である。
【図８】前側板の分解組立て図である。
【図９】前側板の分解組立て図である。
【符号の説明】
１      扱室
２      扱胴
３      フィードチエン
４      フィードチエンレール
１４    チェンフレーム
１５    固定枠体
１６    可動枠体
１７    回動支点軸
３２    穀稈供給口
３３    穀稈排出口
４１    縦パイプ
４２    横パイプ
４３    縦パイプ
４４    横パイプ
【図１】
0003693802.tif 000002
【図２】
0003693802.tif 000003
【図３】
0003693802.tif 000004
【図４】
0003693802.tif 000005
【図５】
0003693802.tif 000006
【図６】
0003693802.tif 000007
【図７】
0003693802.tif 000008
【図８】
0003693802.tif 000009
【図９】
0003693802.tif 000010